【事件の表示】
　平成　４年特許願第１６８６１３号「起伏スクリーン式除塵装置」拒絶査定に対する審判事件〔平成　５年１２月１４日出願公開、特開平　５−３３１８２１、請求項の数（２）〕について、次のとおり審決する。
【結　論】
　原査定を取り消す。
　本願の発明は、特許すべきものとする。
【理　由】
１．手続きの経緯・本願発明
　本願は、平成４年６月２日の出願であって、その請求項１及び２に係る発明（以下、「本願発明１及び２」という）は、特許請求の範囲の請求項１及び２に記載された次のとおりのものと認める。なお、本願発明１の構成要件を分説し、符号を付す。
【請求項１】(A)櫛の歯状スクリーンバーと、
(B)このスクリーンバーを植付けられ、軸受によって水路底に設置された、曲げ・ねじりともに充分な強度を有する回転軸と、
(C)上記スクリーンバーを起立・倒伏操作するために、回転軸に取付けた支持アームの先端に連結したワイヤロープを操作する地上の巻上機と、
(D)水路の下流側に緩やかに傾斜したスクリーンバーの先端から越流する塵芥や水を受ける位置に、透水性良く製作した塵芥受箱を取付けた昇降枠と、
(E)かつ昇降枠に設けられガイドレールに案内される上下の車輪および復元用対重と、
(F)さらに反転運動が可能なように昇降枠の下部に取付けたワイヤロープを上げ下げ操作するための地上高所の巻上機と、
(G)加えて円弧を含む曲線によって上下の車輪を誘導し、ワイヤロープを制限一杯まで巻上げたときは、昇降枠、塵芥受箱、上下の車輪、対重を含む全体を反転させて、塵芥受箱の内に貯溜した塵芥を放出し、また逆にワイヤロープを緩めると逆方向に回転させて復元するようその上部を構成したガイドレールと
を有するようにしたことを特徴とする起伏スクリーン式除塵装置。
【請求項２】緩やかに傾斜したスクリーンバーに掛かった塵芥をスクリーンバーの先端に導くためにスクリーンバーの回転軸の上部また下部に設けた噴出口から圧力を加えた水や圧縮空気を噴出させ、またスクリーンバーの下流側に潜り堰を設けてスクリーンバーの周囲の下向きの水流を和らげるよう構成してなる請求項１記載の起伏スクリーン式除塵装置。
　　
　　
２．引用例
　これに対して、原査定の拒絶の理由に引用され、本願出願前に国内において頒布された刊行物である、特公昭５９−４００５号公報（以下、「引用例」という）には、次のような記載がある。
(１)「水路１内に塵芥係止体２を水路１の底面にほぼ平行に設ける。
　この塵芥係止体２は、水流と同一の方向性を有する複数の塵芥係止棒３を間隔４を介して前後の支持枠５上に並設してなり、その各塵芥係止棒３は、断面Ｖ字形に形成され、したがつて上面にＶ字溝６が形成されている。
　またこの塵芥係止体２の支持は、水路１の両側前後部に支柱１１を立設し、この４隅の支柱１１の上端部にそれぞれプーリ１２，１３を設け、また一側前後の支柱１１の上端部にウインチ１４を設け、またこの各ウインチ１４にそれぞれ２本のワイヤ１５，１６を巻着し、一方のワイヤ１５は一側のプーリ１２に巻掛けた後に下方に引出すとともに、他方のワイヤ１６は他側のプーリ１３に巻掛けた後に下方に引出し、一方、上記塵芥係止体２の前後の支持枠５の両端に回動自在に軸着した支持板１７の上端に上記４隅のワイヤ１５，１６の下端をそれぞれ連結する。
　そうして、たとえば前方のウインチ１４のハンドル１８を回動すれば前方両側のワイヤ１５，１６が等しく巻取または巻戻され、塵芥係止体２の前側が上下動し、全体的には傾斜するし、また両方のウインチ１４を等しく回動すれば４隅のワイヤ１５，１６が等しく操作され塵芥係止体２は水平に上下動する。したがつて塵芥係止体２を設置する場所の状況に応じてこれを傾斜調整または上下動調整することができる。」（１ページ右欄１０〜３７行）
(２)「また上記塵芥係止体２の下流側端に対してパンチングメタル板３１を枠３２に設けてなる通水性を有する集塵体３３を臨ませ、」(２ページ左欄８〜１０行)
(３)「また上記集塵体３３の支持は、水路１の両側部にベースフレーム４１を架設し、このベースフレーム４１の上流側の両側部に上下方向の支持体４２をやや傾斜状に固定し、この両側の支持体４２間に上下部において回転軸４３，４４を架渡して設け、この回転軸４３，４４の両端にスプロケツトホイル４５，４６を固定し、この両側における上下のスプロケツトホイル４５，４６間に無端チエン４７を巻掛け、この両側の無端チエン４７の一部間に支持棒４８の両端を回動自在に架渡して設け、この支持棒４８に上記集塵体３３の支持部４９の上端を固着してなる。
　また上記無端チエン４７の駆動は、上記ベースフレーム４１の一側から支持板５１を突設し、この支持板５１上に逆転可能の減速モータ５２を固定し、このモータ５２の駆動軸に固定したスプロケツトホイル５３と上記回転軸４３の一側端に固定したスプロケツトホイル５４との間に無端チエン５５を巻掛けたものによって行う。５６はカバーである。」(２ページ左欄１５〜３４行)
(４)「次に集塵作用を説明する。
流入側部２３における水中の塵芥は、水流と同一の方向性を有する塵芥係止体２に沿って移動して集塵体３３で捕捉され、流出側部３４への流出を阻止される。」(２ページ左欄４４行〜右欄４行)
(５)「次に塵芥取出作用を説明する。
集塵体３３内に塵芥がたまつたら、モータ５２を駆動してこの集塵体３３を両側の無端チエン４７により水中から水上に引上げる。この集塵体３３は、ストツパ６２から外れた後は受け棒６３によつて支持され、そして支持体４２の上端において、集塵体３３の支持部４９が両側のスプロケツトホイル４５間に入りこんで、支持部４９の先端が支持棒４８によつて引下げられるとともに集塵体３３側が受け棒６３によつて押上げられ、集塵体３３は収塵槽６１の開口縁の上方で効率よく小回りして反転倒立し、内部の塵芥を収塵槽６１内に放出する。そしてこの塵芥放出が終つたら上記モータ５２を逆転して集塵体３３を水中に復帰させる。なお、モータ５２の駆動および停止は手動スイッチのみによつて行なつてもよいし、リミットスイッチなどを利用してもよい。また収塵槽６１内の塵芥はこの収塵槽６１の一部の開閉板７１を開いて外部に取出す。」(２ページ右欄１９〜３７行)
　　　
　前記(１)〜(５)の記載事項および図面を参照すると、引用例には、次の発明（以下、「引用発明」という）が記載されているものと認められる。なお、その構成要件を本願発明１の構成要件に従って分説し、符号を付す。
「(a)複数の塵芥係止棒３を併設してなる塵芥係止体２と、
(b)この塵芥係止体２が付設され、水路の底面にほぼ平行に設けられた、前後の支持枠５と、
(c)上記塵芥係止体２を傾斜調整または上下動調整するために、支持枠５の両端に回動自在に軸着した支持板１７の上端に連結したワイヤ１５，１６を操作するウインチ１４と、
(d)水流と同一の方向性を有する塵芥係止体２に沿って移動する塵芥を捕捉する位置に、通水性を有する集塵体３３の支持部４９の上端を固着した支持棒４８と、
(f)さらに逆転運動が可能なように、支持棒４８の両端が回動自在に架渡して設けられた両側の無端チエン４７を駆動するための減速モータ５２と、
(g)加えて円弧を含む曲線によって誘導し、無端チエン４７を集塵体３３が上端に来るまで引き上げたときは、集塵体３３を反転倒立させて、集塵体３３内部の塵芥を放出し、また無端チエン４７を逆転させると逆方向に回転させて復元するようその上部を構成した上下方向の支持体４２と
を有するようにした水路における塵芥処理装置」
　
　
３．対比・判断
イ、　本願発明１について
　本願発明１において、「ワイヤロープ」で表示されるものが二つ存在するので、便宜上、支持アームの先端に連結したワイヤロープを「ワイヤロープ(5)」、昇降枠の下部に取付けたワイヤロープを「ワイヤロープ(１３)」として区別し、以下、本願発明１と、引用発明を対比する。
　引用発明における「ワイヤ１５，１６」、「ウインチ１４」、「通水性を有する」、「集塵体３３」、「減速モータ５２」および「傾斜調整可能な塵芥処理装置」は、
各々本願発明１における「ワイヤロープ(5)」、「地上の巻上機」、「透水性良く製作した」、「塵芥受箱」、「地上高所の巻上機」および「起伏スクリーン式除塵装置」に相当し、
　また、引用発明の「複数の塵芥係止棒３を併設してなる塵芥係止体２」、「水路の底面にほぼ平行」、「支持枠５」、「支持板１７」、「支持棒４８」、「無端チエン４７」、「逆転」および「支持体４２」と、本願発明１の「櫛の歯状スクリーンバー」、「水路底」、「回転軸」、「支持アーム」、「昇降枠」、「ワイヤロープ(１３)」、「逆に緩める」および「ガイドレール」は各々、一応ともに「スクリーン」、「水路内」、「スクリーン取付体」、「支持手段」、「昇降体」、「昇降手段」、「逆進」および「ガイド手段」と読み替えられるから、両者は
　　
「(イ)スクリーンと、
(ロ)このスクリーンを取り付けられ、水路内に設置された、スクリーン取付体と、
(ハ)上記スクリーンを操作するために、スクリーン取付体に取付けた支持手段の先端に連結したワイヤロープを操作する地上の巻上機と、
(ニ)スクリーンの先端から塵芥を受ける位置に、透水性良く製作した塵芥受箱を取付けた昇降体と、
(ホ)さらに反転運動が可能なように、昇降体に取付けた昇降手段を上げ下げ操作するための地上高所の巻上機と、
(ヘ)加えて円弧を含む曲線によって誘導し、昇降手段を制限一杯まで引き上げたときは、塵芥受箱を反転させて、塵芥受箱の内に貯溜した塵芥を放出し、また昇降手段を逆進させると逆方向に回転させて復元するようその上部を構成したガイド手段と
を有する起伏スクリーン式除塵装置。」である点で一応一致し、次の点で相違している。
　　　
相違点１：スクリーン取付体が、本願発明１においては、軸受によって水路底に設置された回転軸であるのに対し、引用発明においては、水路の底面にほぼ平行に設けられた前後の支持枠５である点。
相違点２：支持手段が、本願発明１においては、回転軸に取付けた支持アームであるのに対し、引用発明においては、支持枠５の両端に回動自在に軸着した支持板１７である点。
相違点３：昇降体が、本願発明１においては、昇降枠であるのに対し、引用発明においては、支持棒４８である点。
相違点４：本願発明１が昇降体に設けられガイド手段に案内される上下の車輪および復元用対重を有するのに対し、引用発明は、これらを有しない点。
相違点５：昇降手段が、本願発明１においては、ワイヤロープであるのに対し、引用発明においては、無端チエン４７である点。
相違点６：ガイド手段が、本願発明１においては、ガイドレールであるのに対し、引用発明においては、支持体４２である点。
    
　そこで上記相違点１〜６について検討すると、引用例には、上記相違点１〜６に係る本願発明１の構成に関する記載も示唆も無いので、引用発明に基づいて、相違点１〜６に係る本願発明１の構成を想到することは、当業者にとって容易な事項とは認められない。
　そして本願発明１は、その全構成をもって、本願明細書段落００２４記載の「１．大きな寸法の塵芥の処理が容易である。２．塵芥の掻き揚げ能力を飛躍的に大きくすることができる。３．除塵装置が安価に設置できる。４．洪水時スクリーンバーを水路底に倒伏させ、塵芥受箱を水路上に引上げれば水路内の水の流れを妨げることが無くなって人工洪水の心配がない。」等の、所要の効果を有するものと認められる。
　
　よって、本願発明１は、引用発明に基づいて当業者が容易に発明をすることができたものとすることはできない。　
　　
ロ、　本願発明２について
　本願発明２は、本願発明１を引用する発明であり、前記相違点１〜６に係る本願発明１の構成を必須の構成要件とする発明であるから、本願発明１と同様の理由で、引用発明に基づいて当業者が容易に発明をすることができたものとすることはできない。
　　
　　
４．むすび
　以上のとおり、本願については、原査定の拒絶理由を検討してもその理由によって拒絶すべきものとすることはできない。
　また、他に本願を拒絶すべき理由を発見しない。
　よって、結論のとおり審決する。